(57)【要約】【課題】  基礎ブロックへの支柱の自立による正確な位置決めと工期短縮とが実現できる支柱の直立支持構造を提供する。【解決手段】  支柱部２と、該支柱部２の下部を差し込んだでモルタルを充填して該支柱部２を直立に固定するための縦長の空洞Ｓを備えた基礎ブロック部とで構成する。  前記支柱部２は、支柱本体の下部に２つの貫通ピン孔９ａ、１０ａを直交差させて設け、該貫通ピン孔９ａ、１０ａにスライドピン３、４を遊貫する。  前記基礎ブロック１部は、空洞Ｓ内に両方のスライドピン３、４の各端部の下側が接する部位の空洞内壁面１ａに配設した水平なスライドガイド面７ａ、８ａと、スライドピン３、４を水平方向に移動可能とするスライド空間Ｃと、該スライド空間Ｃに面して前記スライドピン３、４の端部が突当たる部位に立設した当接ガイド壁５ａ、６ａとを備えたピン支持部Ｐを設ける。【選択図】      図２
2007070875.tif 000002
【特許請求の範囲】
【請求項１】
支柱本体の下部に２本のスライドピンを備えた支柱部と、前記支柱本体の下部を差し込んだ後にモルタルを充填して該支柱部を直立に固定するための縦長の空洞を備えた基礎ブロック部とから成る支柱の直立支持構造であって、
前記支柱部は、前記支柱本体の下部に該支柱本体の中芯線と直交する２つの貫通ピン孔を直交差させて設け、該貫通ピン孔に前記基礎ブロック部の横幅よりも短い２本のスライドピンを遊貫して成り、
前記基礎ブロック部は、前記空洞内に前記支柱本体を垂直に差し込んだときに両方のスライドピンの各端部の下側又は一方のスライドピンの下側と他方のスライドピンの上側が接する部位の空洞内壁面に配設した水平なスライドガイド面と、該スライドガイド面に接した状態のスライドピンを水平方向に移動可能とするスライド空間と、該スライド空間に面して前記スライドピンの端部が突当たる部位に他のスライドピンに対して平行に立設した当接ガイド壁とを備えたピン支持部を設けて成り、
前記基礎ブロック部のスライドガイド面で前記支柱部のスライドピンを支持して前記支柱部を前記基礎ブロック部に自立状態で水平に移動できるようにしたことを特徴とする支柱の直立支持構造。
【請求項２】
請求項１に記載の支柱の直立支持構造に使用する基礎ブロックであって、
支柱本体の下部に設けた貫通ピン孔にスライドピンを遊貫した支柱部を直立させて支持するために、基礎ブロックの縦長の空洞内に、前記支柱本体の下部を垂直に差し込んだときに両方のスライドピンの各端部の下側又は一方のスライドピンの下側と他方のスライドピンの上側が接する部位の空洞内壁面に配設した水平なスライドガイド面と、該スライドガイド面に接した状態のスライドピンを水平方向に移動可能とするスライド空間と、該スライド空間に面して前記スライドピンの端部が突当たる部位に他のスライドピンに対して平行に立設した当接ガイド壁とを備えたピン支持部を設けたことを特徴とする基礎ブロック。
【請求項３】
スライドガイド面の一方又は両方に上下対向させて、該スライドガイド面とで前記スライドピンを挟持可能とする挟持ガイド面を備え、該挟持ガイド面と前記スライドガイド面と当接ガイド壁とに囲われたスライド溝を形成したことを特徴とする請求項２に記載の基礎ブロック。
【請求項４】
スライドガイド面に面した各スライド空間の両側に、差し込まれた支柱部の回転によるスライドピンの回転移動範囲を制限して前記スライドガイド面からスライドピンの脱落を防ぐ回転止部を設けたことを特徴とする請求項２又は３に記載の基礎ブロック。
【請求項５】
スライドピンの端部の下側に接するスライドガイド面につながる空洞内壁面のコーナー部に、該スライドガイド面につながるガイド面を有するピン導入ガイド台を形成したことを特徴とする請求項２〜４のうちいずれか一項に記載の基礎ブロック。
【発明の詳細な説明】
【技術分野】
【０００１】
本発明は、フェンスなどを取り付ける支柱を基礎ブロックに直立させて支持する支持構造と、その構造に使用する基礎ブロックに関する。
【背景技術】
【０００２】
フェンスなどの取り付け工事において、フェンスなどの取付用の支柱を直立固定するための内部に空洞を備えた基礎ブロックが使用されており、従来の施工では、支柱をその基礎ブロックに差し込んで支柱の高さを決めた上でロープや仮止め棒で支柱の位置を固定し、そのまま空洞内にモルタルを充填してモルタルが固化したら仮止め材を取り外す方法が行われている。
このような施工では、支柱が基礎ブロックの空洞内に不安定に支持されるために支柱の位置が決まりにくく、作業が面倒となっていたので、特許文献２に記載されているように、支柱の下部に一本の水平な貫通孔を設けてその孔に支持棒を差し入れて基礎ブロックの上端部にその支持棒を載せて支柱の高さを簡単に決められるようにした構造が提案された。
しかし、上記一本の支持棒によるものでは、高さは決められても左右に傾斜しやすく不安定な状態で、そのままでは支柱が自立せずに倒れてしまう難点があった。
このため、施工するときには、充填したモルタルが固化するまで支柱を動かないよう仮止め棒などによって外から固定しておいて同時にモルタルを充填し、そのままモルタルが固化するまでの少なくとも１日程度は待ってから仮止めした棒材を取り外し、ようやく支柱の工事が完了となるが、さらにその後にフェンスの取り付け工事を行わなければならず、この結果、全体の工期が長くかかってしまう難点があった。
一方、特許文献２に記載されているように、ロープや仮止め棒を用いずに、あらかじめ基礎ブロックに３方から締めする調節ネジを設けたパイプを埋設固定しておき、そのパイプに支柱を立て、調節ネジで３方から支柱を締め着けてその直立状態に支柱を固定できるようにした構造のものが提案されている。
【特許文献１】特開２００４−３６２０２
【特許文献２】特開平１０−３２５２６８
【発明の開示】
【発明が解決しようとする課題】
【０００３】
上記特許文献２の記載の調節ネジによる固定によるものは、基礎ブロックに支柱を自立可能なので工期の短縮が可能となる利点があるが、その反面、支柱の倒れ角度や配列位置を矯正するための調節幅が少なく施工精度に限界があり、さらに調節ネジによる支柱の調節が面倒な上、完成後の支柱の下部分に調節ネジが露出しているので見栄えが悪いという問題があった。
そこで本発明は上記問題に鑑みて、正確で精度に高い基礎ブロックへの支柱の置決めと、フェンスなどを取り付ける全体工事の工期短縮及び工費削減とが同時に実現でき、且つ施工が容易で施工後の見栄えも良い基礎ブロックにおける支柱の支持構造と、その支柱の直立支持構造に使用する基礎ブロックを提供することを目的とする。
【課題を解決するための手段】
【０００４】
上記課題を解決するため、本発明の支柱の直立支持構造は、支柱本体下部に２本のスライドピンを備えた支柱部と、前記支柱本体の下部を差し込んだ後にモルタルを充填して該支柱部を直立に固定するための縦長の空洞を備えた基礎ブロック部とから成る支柱の直立支持構造である。
前記支柱部は、支柱本体の下部に該支柱本体の中芯線と直交する２つの貫通ピン孔を直交差させて設け、該貫通ピン孔に前記基礎ブロック部の横幅よりも短い２本のスライドピンを遊貫して構成する。
前記基礎ブロック部は、前記空洞内に前記支柱本体を垂直に差し込んだときに両方のスライドピンの各端部の下側又は一方のスライドピンの下側と他方のスライドピンの上側が接する部位の空洞内壁面に配設した水平なスライドガイド面と、該スライドガイド面に接した状態のスライドピンを水平方向に移動可能とするスライド空間と、該スライド空間に面して前記スライドピンの端部が突当たる部位に他のスライドピンに対して平行に立設した当接ガイド壁とを備えたピン支持部を設けて構成する。
そして、前記基礎ブロック部のスライドガイド面で前記支柱部にスライドピンを支持して前記支柱部を前記基礎ブロック部に自立状態で水平に移動できるようにしたことを特徴とする。
【０００５】
請求項２に記載の発明は、請求項１に記載の支柱の直立支持構造に使用する基礎ブロックである。
本発明の基礎ブロックは、支柱本体の下部に設けた貫通ピン孔にスライドピンを遊貫した支柱部を直立させて支持するために、基礎ブロックの空洞内に、支柱本体の下部を垂直に差し込んだときに両方のスライドピンの各端部の下側又は一方のスライドピンの下側と他方のスライドピンの上側が接する部位の空洞内壁面に配設した水平なスライドガイド面と、該スライドガイド面に接した状態のスライドピンを水平方向に移動可能とするスライド空間と、該スライド空間に面して前記スライドピンの端部が突当たる部位に他のスライドピンに対して平行に立設した当接ガイド壁とを備えたピン支持部Ｐを設けたことを特徴とする。
【０００６】
請求項３に記載の発明は、上記基礎ブロックの構成において、前記スライドガイド面の一方又は両方に上下対向させて、該スライドガイド面とで前記スライドピンを挟持可能とする挟持ガイド面を備え、該挟持ガイド面と前記スライドガイド面と当接ガイド壁とに囲われたスライド溝を形成したことを特徴とする。
【０００７】
請求項４に記載の発明は、上記基礎ブロックの構成において、前記スライドガイド面に面した各スライド空間の両側に、差し込まれた支柱部の回転によるスライドピンの回転移動範囲を制限して前記スライドガイド面からスライドピンの脱落を防ぐ回転止部を設けたことを特徴とする。
【０００８】
請求項５に記載の発明は、上記基礎ブロックの構成において、前記スライドピンの端部の下側に接するスライドガイド面につながる空洞内壁面のコーナー部に、該スライドガイド面につながるガイド面を有するピン導入ガイド台を形成したことを特徴とする。
【発明の効果】
【０００９】
本発明は上記構成なので、地面に定間隔で並べて埋設した基礎ブロック部に支柱部を差し込んだとき、前記支柱部の貫通ピン孔に差してスライドピンが前記基礎ブロック部の各スライドガイド面によって垂直に支持された状態で自立可能となり、基礎ブロック部に垂直に自立した各支柱部のうち、支柱本体の位置がズレて柱列が乱れていても、ズレた支柱本体を自立したままで水平方向に移動させ容易に且つ大幅に修正することが可能となる。
即ち、フェンスなどの柱列の乱れの修正を行う場合は、支柱部を持って水平方向に押すと、各スライドガイド面に接した状態のスライドピンが、前記スライドガイド面に形成された当接ガイド壁にスライドピンの先端が突当たって拘束されつつ同時に貫通ピン孔にスライドし、各スライド空間Ｃ内を水平方向に移動し、支柱本体の下部が基礎ブロック部の空洞内を限度に水平方向に移動するので自立したままでの位置の修正が可能となる。
【００１０】
このように各基礎ブロック部に支柱部を正確な位置に修正して垂直に自立させておけるので、施工時に支柱部をモルタルの充填で固着する前でも、次の工程である支柱本体へのフェンス取り付け工程を時間を待たずに連続して行うことが可能となる。
このことで、従来では各基礎ブロックでは空洞にモルタルを充填しないと各支柱を垂直に固定できないので、モルタルが固化するまでの少なくとも１日程度は待ってからでないとフェンスの取り付けができなかったことと比較して大幅な工期短縮が可能となる。
さらに、本発明ではモルタルが固化するまでの仮止め棒などによる仮止めの工程がなくなり、仮止めのための資材も不要となるので、その分資材費と手間代が節減される。
【００１１】
また、これまではモルタルを充填して各支柱を垂直に固着してからでないとフェンス取り付け工程へ移行できなかったので、その後での各支柱の位置の修正やさらにフェンス取り付け後の各支柱位置の修正は、その部分の基礎ブロックごと掘り起こして新しい基礎ブロックと支柱に交換をしないとできずこの位置修正工事は大変面倒であった。
これに対して、本発明では、支柱本体の垂直な自立の維持がモルタルを充填せずにでき、さらにそのままフェンス取り付け工程が連続して行えるので、フェンス取り付け位置の修正を空洞内へのモルタルの充填を行う前に行えば、支柱部は基礎ブロック部に固着されていないので極めて容易に位置の修正が可能となる。しかも、フェンス取り付けた支柱部の並べた状態での正確な位置を最終的に全体修正を加えることが可能なのでセンターラインが性格に直線上となるように綺麗に施工することが可能となる。
【００１２】
そして、前記スライドガイド面にスライド溝を形成した形態ではスライドピンは直接上方に引抜けないので、モルタルの充填で固定しなくても支柱部が倒れる心配がなくなり、さらに、モルタルの充填後では基礎ブロックから支柱部は全く引抜きことはできなくなる。
このことは、従来の基礎ブロックでは、モルタルの固化収縮による支柱の弛みで基礎ブロックから支柱が簡単に引抜けるようになり、フェンスなどが破られる被害があったが、このようないたずらの防止にもなる。
また、最終的に空洞はモルタルで埋められるので完成後の基礎ブロックの上面部分はスッキリとして見栄えも良いものとなる。
【発明を実施するための最良の形態】
【００１３】
本発明の支柱の直立支持構造と、その構造体に使用する基礎ブロックの実施の形態を以下説明する。
本発明の支柱の直立支持構造は、支柱本体２ａ下部に２本のスライドピン３、４を備えた支柱部２（図１の（イ）に示す）と、前記支柱本体２ａの下部を差し込んだ後にモルタルを充填して該支柱部２を直立に固定するための縦長の四角の空洞Ｓを備えたコンクリート製の基礎ブロック１部（図１の（ロ）に示す）とで構成する。
【００１４】
前記支柱部２は、図１の（イ）に示すように、フェンス取り付け用の金属パイプ製の支柱本体２ａの下部に該支柱本体２ａの中芯線と直交する２つの貫通ピン孔９ａ、１０ｂを角度９０度で交差させて設け、該貫通ピン孔９ａ、１０ｂに前記基礎ブロック１部の横幅Ｌよりも短い長さＭの２本のスライドピン３、４を遊貫して、前記貫通ピン孔９ａ、１０ｂにスライドピン３、４が出没自在になるように構成する。
前記支柱部２はパイプ状や径の太い棒状のものが使用でき、Ｕ字型やＬ字型のものはそのままでは円滑な水平移動に適さないので、図１６の（イ）に示すように、別の鉄板やＬ字型の鋼材を重ね合わせて筒状に加工して使用する。
【００１５】
前記基礎ブロック１部は、前記前記支柱部２ａの下部を差し込んだ後にモルタルを充填して該支柱部２を直立に固定するための空洞Ｓ内に、各スライドピン３、４の端部の４点を支持するピン支持部Ｐを設ける。
該ピン支持部Ｐは、図１の（ロ）に示すように、前記空洞Ｓ内に前記支柱本体２ａの下部を垂直に差し込んだときに、スライドピン３、４の各端部が接する部位の空洞内壁面１ａに配設した水平なスライドガイド面７ａ、７ｂ，８ａと、該スライドガイド面７、８に接した状態のスライドピン３、４を一定範囲で自由に水平方向に移動可能とするスライド空間Ｃと、該スライド空間Ｃに面して空洞内の奥行き部位に前記スライドピン３、４の端部が突当たる部位にスライドピン３、４両端の長さ方向の移動を拘束できるように他のスライドピンに対して平行に立設した当接ガイド壁５ａ、５ｂ，６ａとを備える。
前記スライドガイド面７ａ、７ｂ，８ａは、前記空洞Ｓ内に前記支柱本体２ａを垂直に差し込んだときに、両方のスライドピン３、４の各端部の下側が接する部位の空洞内壁面１ａに配設した態様（図２に示す）と、一方のスライドピン３の下側（図の符号２２ａ、２２ｂ）と他方のスライドピン４の上側（図の符号２３ａ）が接する部位の空洞内壁面１ａに配設した態様（図９に示す）がある。
なお、前記コンクリート製の基礎ブロック１の本体部分は、外形は角柱状や図１３に示すように円柱状のものも可能である。
【００１６】
上記本発明の構造では、図４に示すように、前記基礎ブロック１部の前記スライドガイド面７ａ、７ｂ，８ａ、８ｂ上に前記支柱部２の前記スライドピン３、４を装着したとき、前記支柱部２が前記スライドピン３、４各端部の４点で支持されて自立状態で直立し、前記基礎ブロック１部の空洞Ｓ内を、図４の（イ）及び（ロ）に示すように、前記スライドピン３、４各端が当接ガイド壁５ａ、５ｂ，６ａ、６ｂに当たって拘束されて貫通ピン孔９ａ、９ｂ，１０ａ、１０ｂにスライドピン３、４が出没しつつ水平方向に自由に移動可能となる。
【００１７】
次に、上記支柱の直立支持構造に使用する基礎ブロックを説明する。
該基礎ブロック１は、図１の（ロ）に示すように、基礎ブロック１の空洞Ｓ内に支柱本体２ａの下部に設けた貫通ピン孔９ａ、１０ｂにスライドピン３、４を遊貫した支柱部２を直立させて支持するためにピン支持部Ｐを設ける。
該ピン支持部Ｐは、基礎ブロック１の空洞Ｓ内に、支柱本体２ａの下部を垂直に差し込んだときに、両方のスライドピン３、４の各端部が接する部位の空洞内壁面１ａに配設した水平なスライドガイド面７ａ、７ｂ，８ａと、該スライドガイド面７ａ、７ｂ，８ａに接した状態のスライドピン３、４を水平方向に移動可能とするスライド空間Ｃと、該スライド空間Ｃに面して前記スライドピン３、４の端部が突当たる部位に他のスライドピンに対して平行に立設した当接ガイド壁５ａ、５ｂ，６ａとを備える。
前記スライドガイド面７ａ、７ｂ，８ａは、前記空洞Ｓ内に前記支柱本体２ａを垂直に差し込んだときに両方のスライドピン３、４の各端部の下側が接する部位の空洞内壁面１ａに配設した態様（図２に示す）と、一方のスライドピン３の下側と他方のスライドピン４の上側が接する部位の空洞内壁面１ａに配設した態様（図９に示す）がある。
【００１８】
両方のスライドピン３、４の各端部の下側が接する部位の空洞内壁面１ａに配設した態様は、図２の（ロ）に示すように、両スライドガイド面７ａ、７ｂ，８ａの上にスライドピン３、４が載る態様であり、その上方の該スライド空間Ｃより上方が開放された態様が可能である。
この態様では、図２に示すように、施工時に上から真下に支柱本体２ａの下部のスライドピン３、４を載せれば良い。
【００１９】
また一方のスライドピン３の下側と他方のスライドピン４の上側が接する部位の空洞内壁面１ａに配設した態様は、図１０の（イ）及び（ロ）に示すように、上のスライドピン３の下側と下のスライドピン４の上側がスライドガイド面２４ａ、２４ｂ，２５ａに接する部位の空洞内壁面１ａに配設した態様と、図８と図９に示すように、下のスライドピン３の下側と上のスライドピン４の上側が接する部位の空洞内壁面１ａに配設した態様とがある。
上記いずれの態様でも、各スライドガイド面の上下対向面に空間形成面２１を設けてスライド空間Ｃを確保することができる。
また、上のスライドピン３の下側と下のスライドピン４の上側がスライドガイド面に接する部位の空洞内壁面１ａに配設した態様では、図１１に示すように、両方のスライドガイド面２６、２７を奥行きの異なる段差面を有して同一高さに形成することができる。
この場合、２本のスライドピン３、４の長さは異なることになるが直立した支柱部２は９０度回転させても対応できるようになるので、並べるときの基礎ブロック１の向きを気にする必要はなくなる。
【００２０】
前記スライドガイド面７ａ、７ｂ，８ａ、８ｂは、さらに正確を期すために、図１２に示すように、コンクリート素材よりも平面精度の優れた金属板又は合成樹脂板で形成することもできる。
前記スライドガイド面７ａ、７ｂ，８ａ、８ｂの高低差は、両方のスライドピン３、４の各端部の下側が接する部位の空洞内壁面１ａに配設した態様（図２に示す）の場合は、図１の（イ）に示すように、スライドピン３、４の径Ｒと等しい高さＨはそれ以上に高低差（図１４に示す）とし、その高低差に対応させて前記支柱部の貫通ピン孔９ａ、１０ｂの両対の高低差を形成する。
この高低差を前記スライドピン３、４の径Ｒと等しい高さＨとすると、図３の（イ）と（ロ）に示すように、差し込まれたスライドピン３、４の交差部分で２つのスライドピン３、４が接触する。この接触による摩擦抵抗でスライドピン３、４の動きが抑えられ、位置決めした時に支柱部の位置は簡単に変わってしまうことがないようになる。
他方、この高低差は、図１４の（イ）及び（ロ）に示すように、スライドピン３、４の径より上下大幅にすることも可能である。この場合、その高さに対応させて前記支柱部の貫通ピン孔９ａ、１０ｂの両対の高低差を形成する。
対向する当接ガイド壁５ａ、５ｂ，６ａの間隔は、前記支柱部のスライドピン３、４の両端部が突当たる距離であり、スライドピン３、４の長さとほぼ等しく、スライドピン３、４が往復移動可能にスライドピン３、４よりも僅か長く形成する。
【００２１】
また、図５の（イ）及び（ロ）に示すように、スライドガイド面７ａ、７ｂ、８ａ、８ｂの一方又は両方に、該スライドガイド面７ａ、７ｂ、８ａとで上下で前記スライドピン３、４を挟持可能とする挟持ガイド面１１ａ、１１ｂ、１２ａを備えたスライド溝１３、１４ａを形成することが可能である。
この形態では、図５の（イ）及び（ロ）に示すように、前記基礎ブロック１は、内部に縦の空洞Ｓを有し、該空洞Ｓ内の内壁面１ａの高さ中間部位に同じ高で対向する９０度方向に２対の水平なスライドガイド面７ａ、７ｂ、８ａを両対向面が上下段違いとなるように形成する。
【００２２】
この形態では、図６に示すように、スライド溝１３、１４ａでスライドピン３、４を挟んで支持されるため、真っ直ぐ上には引抜けず、このため前記支柱部２が自立するのみならず倒れなくなるので、モルタルを充填する前にフェンスの取り付けが容易に行える利点がある。
前記スライド溝１３ａ、１３ｂ，１４ａ、１４ｂは、基礎ブロック１のスライドガイド面７ａ、７ｂ，８ａ、８ｂの上下段違いの高低差を、スライドピン３、４の径と略等しい高さとし、その高さに対応させて前記支柱部２の貫通ピン孔９ａ、９ｂ、１０ａ、１０ｂの両対の高低差を形成し、差し込まれたスライドピン３、４の交差部分で２つのスライドピン３、４が接触するようにすると決めた位置をより安定させることができる。
そのスライド溝１３ａ、１３ｂ，１４ａ、１４ｂの周囲面には、図７に示すように、断面コ字型の金属製又は合成樹脂製のスライド溝体１５ａ、１５ｂ，１６ａ、１６ｂを埋め込むことも可能である。
こうすれば、製造する際に、コンクリート製品としての基礎ブロックが食い込み型に部分にはスライド溝体１５ａ、１５ｂ，１６ａ、１６ｂをそのまま埋めてしまえばいいので製造しやすくなり、この部分の強度も向上できる利点がある。
【００２３】
また、前記スライドピン３、４を前記スライド溝１３ａ、１３ｂ，１４ａ、１４ｂ内に装着する方法は、ただ上から真下に置いただけではスライドピン３、４はスライド溝１３ａ、１３ｂ，１４ａ、１４ｂ内に嵌らないので、前記基礎ブロック１の前記スライドガイド面７ａ、７ｂ，８ａ、８ｂの各両端部方向に向けてスライド空間Ｃ内の四角の対角線近くにスライドピン３、４を一旦回転させてから、基礎ブロックの上から落とし込んで前記の上下段違いの前記スライドガイド面７ａ、７ｂ，８ａ、８ｂの高さに合わせた位置で再度回転させて、図６に示すように、前記スライド溝１３ａ、１３ｂ，１４ａ、１４ｂ内のスライドピン３、４の端部を嵌合させて装着する。
しかし、縦の空洞Ｓ内の４箇所のコーナーの対角線の長さがスライドピン３、４の長さよりも短く、スライドピン３、４が対角線の部分から前記スライド溝１３ａ、１３ｂ，１４ａ、１４ｂ内に装着できない場合には、図１５に示すように、前記基礎ブロック部１のスライド溝１３ａ、１３ｂ，１４ａ、１４ｂの上方の一部をスライドピン３、４の径より幅広に垂直に開放したピン落し溝１７を形成することでこのピン落し溝１７からスライドピン３、４をスライド溝１３ａ、１３ｂ，１４ａ、１４ｂまで導いて装着することが可能となる。
【００２４】
さらに、図１の（ロ）に示すように、前記スライドガイド面７ａ、７ｂ，８ａ、８ｂに面した各スライド空間Ｃの両側に、差し込まれた支柱部２の回転によるスライドピン３、４の回転移動範囲を制限して前記スライドガイド面７ａ、７ｂ，８ａ、８ｂからスライドピン３、４の脱落を防ぐ回転止部１８を設けることも可能である。
この場合、四角の空洞Ｓ内を支柱部２を回転させた場合、四角の対角線近くに前記スライドピン３、４が至ると、前記スライドガイド面７ａ、７ｂ，８ａ、８ｂの各両端部からスライドピン３、４が落下してしまうので、それを防ぐため、図１の（ロ）に示すように、前記基礎ブロックの前記スライドガイド面７ａ、７ｂ，８ａ、８ｂの各両端部に支柱本体２ａの回転によるスライドピン３、４の回転範囲を制限する回転止部１８を設けると良い。
また、前記水平な前記スライドガイド面７ａ、7ｂ，８ａ、８ｂの幅は、図１４に示すように、最小限度の移動幅でよい場合には小幅のものも可能であり、この場合にはスライドピン３、４の回転範囲は狭いので狭い幅に回転止部１８が形成される。
この回転止部１８により、図４の（ハ）に示すように、の空洞Ｓ内の四角の対角近くにまで回転することができなくなり、前記スライドガイド面７ａ、7ｂ，８ａ、８ｂからのスライドピン３、４の脱落が防げる。
【００２５】
さらに、図１９の（イ）及び（ハ）に示すように、前記スライドピン３、４の端部の下側に接するスライドガイド面７ａ、7ｂ，８ａ、８ｂにつながる空洞内壁面１ａのコーナー部に、該スライドガイド面７ａ、7ｂ，８ａ、８ｂにつながるガイド面を有するピン導入ガイド台１９を形成することも可能である。
この形態では、特にスライド空間Ｃの上方が開放されていない態様、即ちスライドガイド面の上下対向面に空間形成面２１を設けてスライド空間Ｃを確保した態様などのスライドガイド面７ａ、7ｂ，８ａ、８ｂにおいては、前記ピン導入ガイド台１９はコーナー部に設けることによって、前記基礎ブロックの空洞Ｓに支柱部２を差し込む際に該スライドガイド面７ａ、7ｂ，８ａ、８ｂへの前記スライドピン３、４の装着が、ピン導入ガイド台１９に載せて支柱部２を回転させることで容易できるようになる。
このピン導入ガイド台１９は、該スライドガイド面７ａ、7ｂ，８ａ、８ｂと連続した面に水平のガイド面を形成すると良い。
また、該スライドガイド面７ａ、7ｂ，８ａ、８ｂより少し高い位置にしても、また、該スライドガイド面７、８につなげて、傾斜を付けた連続した面にしてもよい。ガイド面を下り傾斜にすればスムーズに該スライドガイド面７ａ、7ｂ，８ａ、８ｂへと導ける。
【００２６】
次に、フェンスを取り付ける施工について説明する。
まず基礎ブロック部１を地面Ｇに定間隔置きに並べて埋設配置し（図１７の（イ）に示す）、次に埋設した基礎ブロック部１の空洞Ｓ内にフェンスＦ取り付け用の金属製パイプの支柱部を差し込んで貫通ピン孔９ａ、９ｂ、１０ａ、１０ｂに差し込んであるスライドピン３、４を該スライドガイド面７ａ、7ｂ，８ａ、８ｂに載せて自立させる（図１７の（ロ）に示す）。
このとき、図２０に示すように、空洞Ｓ内にセンター目印溝２０を設けておくとスライドピン３、４の位置で支柱部２を空洞Ｓ内の中央に位置合わせがしやすくなる。
そして、金属製パイプの支柱部にフェンスＦを取り付ける（図１８の（ハ）に示す）。
この時、各基礎ブロック部１のうち並びのズレが生じていた場合、正確な位置に支柱本体２を修正する。この修正は、支柱本体２を押し引きすると、貫通ピン孔９ａ、９ｂ、１０ａ、１０ｂとスライドピン３、４がスライドし、同時に前記段差面の奥行き行き突き当たる当接ガイド壁５ａ、５ｂ，６ａ、６ｂで拘束されつつ水平な各スライドガイド面７ａ、7ｂ，８ａ、８ｂの上をスライドピン３、４が滑るように基礎ブロック１の空洞Ｓ内を限度に水平方向に移動させ修正する。
位置が確定できたら、最後にモルタルＭを空洞Ｓ内に充填して各支柱を垂直に固定する（図１８の（ニ）に示す）。
【００２７】
本発明では、このように、各基礎ブロック１に各支柱本体２の垂直な自立が維持できるので、モルタルの充填を行う前に、次の工程である支柱本体２へのフェンスＦ取り付け工程を連続して行うことが可能となる。
このことは、従来モルタルを充填して各支柱の垂直に固定するためにモルタルが固化するまでの少なくとも１日程度は待ってからフェンスの取り付けをしていたのと比較して大幅な工期の短縮が実現できる。
また、従来のようにモルタルが固化するまでの仮止め棒などによる仮止めの工程がないので仮止めのための資材も不要となる。
【産業上の利用可能性】
【００２８】
本発明の支柱の直立支持構造及びその構造に使用する基礎ブロックは上記構造であり、
フェンスの設置の他にも標識、柵柱、ガードレールの支柱などの各種支柱の設置にも用いることが可能である。
【図面の簡単な説明】
【００２９】
【図１】本発明の（イ）が支柱部の斜視図、（ロ）が基礎ブロック部の縦断斜視図である。
【図２】本発明の基礎ブロック部に支柱部を載せた状態を示す縦断斜視図である。
【図３】（イ）は一方側から見た、（ロ）は９０度他方側から見た各縦断側面図である。
【図４】（イ）は支柱部が中央にある、（ロ）は支柱部を移動した、（ハ）は支柱部を回転した状態を示す各平面図である。
【図５】（イ）が支柱部の斜視図、（ロ）が基礎ブロックの縦断斜視図である。
【図６】図５の形態の基礎ブロックに支柱部を載せた状態を示す縦断斜視図である。
【図７】基礎ブロックのピン支持部を示す縦断斜視図である。
【図８】（イ）が支柱部の縦断斜視図、（ロ）は基礎ブロックの縦断斜視図である。
【図９】図８の形態の基礎ブロックに支柱部を載せた状態を示す縦断斜視図である。
【図１０】（イ）が基礎ブロックの縦断斜視図、（ロ）は基礎ブロックに支柱部を載せた状態を示す縦断斜視図である。
【図１１】基礎ブロックのピン支持部を示す縦断斜視図である。
【図１２】基礎ブロックのピン支持部を示す縦断斜視図である。
【図１３】基礎ブロックのピン支持部を示す縦断斜視図である。
【図１４】（イ）が支柱部の縦断斜視図、（ロ）は基礎ブロックの縦断斜視図である。
【図１５】基礎ブロックのピン支持部を示す縦断斜視図である。
【図１６】（イ）が半丸面の、（ロ）は角パイプ状の支柱部の態様を示す斜視図である。
【図１７】（イ）、（ロ）は施工途中の状態を示す各斜視図である。
【図１８】（ハ）は施工途中の状態、（ニ）は施工完了の状態を示す各斜視図である。
【図１９】（イ）が基礎ブロックに支柱部を載せた状態を示す平面図、（ロ）はその基礎ブロック部の縦断斜視図である。
【図２０】基礎ブロックを示す縦断斜視図である。
【符号の説明】
【００３０】
１    基礎ブロック
１ａ  空洞内壁面
１ｂ  基礎ブロックの上面
２    支柱部
２ａ  支柱本体
３    スライドピン
４    スライドピン
５    当接ガイド壁
５ａ  対向する一方の当接ガイド壁
５ｂ  対向する他方の当接ガイド壁
６    当接ガイド壁
６ａ  対向する一方の当接ガイド壁
６ｂ  対向する他方の当接ガイド壁
７    スライドガイド面
７ａ  対向する一方のスライドガイド面
７ｂ  対向する他方のスライドガイド面
８    スライドガイド面
８ａ  対向する一方のスライドガイド面
８ｂ  対向する他方のスライドガイド面
９    貫通ピン孔
９ａ  対向する一方の貫通ピン孔
９ｂ  対向する他方の貫通ピン孔
１０  貫通ピン孔
１０ａ  対向する一方の貫通ピン孔
１０ｂ  対向する他方の貫通ピン孔
１１  挟持ガイド面
１２  挟持ガイド面
１３ａ、１３ｂ  スライド溝
１４ａ、１４ｂ  スライド溝
１５ａ、１５ｂ  スライド溝体
１６ａ、１６ｂ  スライド溝体
１７  ピン落し溝
１８  回転止部
１９  ピン導入ガイド台
２０  センター目印溝
２１  空間形成面
２２ａ、２２ｂ  スライドガイド面
２３ａ、２３ｂ  スライドガイド面
２４ａ、２４ｂ  スライドガイド面
２５ａ、２５ｂ  スライドガイド面
２６  スライドガイド面
２７  スライドガイド面
Ｓ    空洞
Ｒ    スライドピンの径
Ｈ    高低差
Ｍ    モルタル
Ｇ    地面
Ｆ    フェンス
Ｌ    基礎ブロック部の横幅
Ｍ    スライドピンの長さ
Ｐ    ピン支持部
Ｃ    スライド空間
【図１】
2007070875.tif 000003
【図２】
2007070875.tif 000004
【図３】
2007070875.tif 000005
【図４】
2007070875.tif 000006
【図５】
2007070875.tif 000007
【図６】
2007070875.tif 000008
【図７】
2007070875.tif 000009
【図８】
2007070875.tif 000010
【図９】
2007070875.tif 000011
【図１０】
2007070875.tif 000012
【図１１】
2007070875.tif 000013
【図１２】
2007070875.tif 000014
【図１３】
2007070875.tif 000015
【図１４】
2007070875.tif 000016
【図１５】
2007070875.tif 000017
【図１６】
2007070875.tif 000018
【図１７】
2007070875.tif 000019
【図１８】
2007070875.tif 000020
【図１９】
2007070875.tif 000021
【図２０】
2007070875.tif 000022